(57)【要約】  建築壁のためのトリムビードは、外側に向かって伸びるフランジ部を組み込んで、外部仕上げコーティング、例えばスタッココーティングの層のための機械的定着部を提供する。このトリムビードは、建築壁基材上に連続的断熱材を利用する外部建築壁のためのスタッコシステムにおいて使用されてよい。
2013545910.tif 000002
【特許請求の範囲】
【請求項１】
空間で隔てられた前方壁及び後方壁と、前記前方壁及び後方壁を接続する底部壁と、前記前方壁から伸びるフランジ部とを含むトリムビード、
絶縁層、及び
前記絶縁層及び前記トリムビードのフランジに設けた、少なくとも１の層の外部仕上げコーティング
を含み、前記フランジはその厚みを通して連絡する複数の開口部を含む、建築壁用の外部仕上げシステム。
【請求項２】
前記底部壁が少なくとも１の滲出穴を含む請求項１記載の外部仕上げシステム。
【請求項３】
前記後方壁が、その厚みを通して少なくとも部分的に連絡する少なくとも１の開口部を含む請求項２記載の外部仕上げシステム。
【請求項４】
前記フランジがメッシュを含む請求項１記載の外部仕上げシステム。
【請求項５】
前記メッシュがダイアモンドメッシュを含む請求項４記載の外部仕上げシステム。
【請求項６】
前記フランジがリブ付き構造を含む請求項１記載の外部仕上げシステム。
【請求項７】
前記フランジに孔があいている請求項１記載の外部仕上げシステム。
【請求項８】
前記フランジが打抜かれている請求項１記載の外部仕上げシステム。
【請求項９】
前記フランジが膨張している請求項１記載の外部仕上げシステム。
【請求項１０】
前記トリムビードがポリマー材料、金属材料、金属合金材料又は複合材料を含む請求項１記載の外部仕上げシステム。
【請求項１１】
さらに、耐候性バリアーを含む請求項１記載の外部仕上げシステム。
【請求項１２】
さらに、外部仕上げコーティングを維持するための前記絶縁層に取り付けた補強層を含む請求項１記載の外部仕上げシステム。
【請求項１３】
フレーム、
前記フレームに取り付けた、空間で隔てられた前方壁及び後方壁と、前記前方壁及び後方壁を接続する底部壁と、前記前方壁から伸びるフランジ部とを含むトリムビード、
前記トリムビードに隣接し、かつ、前記フレームに取り付けた絶縁層、及び
前記絶縁層及び前記トリムビードのフランジに設けた、少なくとも１の層の外部仕上げコーティング
を含み、前記フランジはその厚みを通して連絡する複数の開口部を含む、建築壁。
【請求項１４】
さらに、前記絶縁層に取り付けた補強層を含む請求項１３記載の建築壁。
【請求項１５】
前記補強層がラスを含む請求項１４記載の建築壁。
【請求項１６】
前記外部仕上げコーティングが、前記絶縁層、ラス及び前記トリムビードのフランジに設けた少なくとも１の層のスタッココーティングを含む請求項１５記載の建築壁。
【請求項１７】
さらに、耐候性バリアーを含む請求項１３記載の外部仕上げシステム。
【請求項１８】
フレーム、
前記フレームに取り付けた建築壁基材、
前記建築壁基材に取り付けた、空間で隔てられた前方壁及び後方壁と、前記前方壁及び後方壁を接続する底部壁と、前記前方壁から伸びるフランジ部とを含むトリムビード、
前記トリムビードに隣接し、かつ、前記建築壁基材に取り付けた絶縁層、及び
前記絶縁層及び前記トリムビードのフランジに設けた、少なくとも１の層の外部仕上げコーティング
を含み、前記フランジがその厚みを通して連絡する複数の開口部を含む、建築壁。
【請求項１９】
さらに、前記絶縁層に取り付けた補強層を含む請求項１８記載の建築壁。
【請求項２０】
前記補強層がラスを含む請求項１９記載の建築壁。
【請求項２１】
前記外部仕上げコーティングが、前記絶縁層及び前記トリムビードのフランジに設けた、少なくとも１の層のスタッココーティングを含む請求項１８記載の建築壁。
【請求項２２】
さらに、耐候性バリアーを含む請求項１８記載の外部仕上げシステム。
【請求項２３】
外部建築壁を仕上げるための方法であって、
空間で隔てられた前方壁及び後方壁と、前記前方壁及び後方壁を接続する底部壁と、前記前方壁から伸びるフランジ部と、前記フランジの厚みを通して連絡する複数の開口部とを含むトリムビードを、フレームの外部表面に取り付ける工程、
絶縁層を建築壁基材に取り付ける工程、及び
前記絶縁層及び前記トリムビードのフランジの表面に外部仕上げ材料コーティングの１層を設ける工程
を含む、外部建築壁を仕上げるための方法。
【請求項２４】
さらに、前記絶縁層に補強層を取り付けることを含む請求項２３記載の方法。
【請求項２５】
前記絶縁層に補強層を取り付けることが前記絶縁層にラスを取り付けることを含む請求項２４記載の方法。
【請求項２６】
前記絶縁層、前記ラス及び前記トリムビードのフランジの表面に１層のスタッココーティングを設けることを含む請求項２５記載の方法。
【請求項２７】
さらに、耐候性バリアーを含む請求項２３記載の外部仕上げシステム。
【請求項２８】
フレームに建築壁基材を取り付ける工程、
空間で隔てられた前方壁及び後方壁と、前記前方壁及び後方壁を接続する底部壁と、前記前方壁から伸びるフランジ部と、前記フランジの厚みを通して連絡する複数の開口部とを含むトリムビードを、前記建築壁基材の外部表面に取り付ける工程、
絶縁層を前記建築壁基材に取り付ける工程、及び
前記絶縁層及び前記トリムビードのフランジの表面に１層の外部仕上げ材料コーティングを設ける工程
を含む、外部建築壁を仕上げるための方法。
【請求項２９】
さらに、前記絶縁層に補強層を取り付けることを含む請求項２８記載の方法。
【請求項３０】
前記絶縁層に補強層を取り付けることが前記絶縁層にラスを取り付けることを含む請求項２９記載の方法。
【請求項３１】
前記絶縁層及び前記トリムビードのフランジの表面に１層のスタッココーティングを設けることを含む請求項２８記載の外部建築壁を仕上げる方法。
【請求項３２】
さらに、耐候性バリアーを含む請求項２８記載の外部仕上げシステム。
【発明の詳細な説明】
【技術分野】
【０００１】
関連出願の相互参照
本出願は、２０１０年１１月８日に出願された米国仮特許出願第６１／４１１，１２５号の出願日の利益を主張し、米国仮特許出願第６１／４１１，１２５号は参照によって本願に組み込まれる。
【０００２】
背景技術
外部スタッコ又はセメントプラスターは、一般に知られているように、商業的建築物にも居住用建築物にも据え付けられ、かつ、種々の基材、例えばメーソンリーやフレーム付き／外装付き壁アセンブリー上に設けられることができる。基材タイプに応じて、介在層である耐水性バリアー及びラス又はプラスターベース（スタッコのための機械的定着部（key）として作用する）が、スタッコを設ける前に設けられる。
【０００３】
２つの一般的なタイプのスタッコがあり、これらは、Ｏｎｅ  Ｃｏａｔスタッコ（一般に、３／８〜１／２インチの厚さのスタッコからなる）及びＴｈｒｅｅ  Ｃｏａｔ又は典型的スタッコ（一般に、１／２〜３／４インチの厚さのスタッコからなる）と称される。スタッコは、前記基材又はラス（使用する場合に）に、手でコテ塗りされるか又はスプレー塗布される。トリムアクセサリー（trim accessories）は、建築及び建設産業においてトリムビード（trim bead）としても知られており、金属又はプラスチックから製作されており、スタッコ厚さのためのゲージとして及び／又はスタッコのための終端又は停止点として働くために、スタッコと共に使用される。フィニッシュコート又はペイント／コーティングは、乾燥／硬化済スタッコ上に設けられて、最終外観を提供する。
【０００４】
最も一般に、断熱は、スタッコクラッド壁と一緒に使用する場合、スタッド又は壁空洞中に数種類のタイプのうちの１を据え付けることによって達成される。いくつかの場合には、制限された厚さ（一般には１  １／２"以下）の断熱ボード（一般にフォームプラスチック、例えば発泡ポリスチレン）が、ラスを設ける前に基材上に連続的に据え付けられる。歴史的には、連続的断熱ボードは、ｔｈｒｅｅ  ｃｏａｔ  スタッコシステムよりもＯｎｅ  Ｃｏａｔ  Ｓｔｕｃｃｏシステムと共により頻繁に使用されている。
【０００５】
最近のエネルギー基準、例えばＩＥＣＣ（Ｉｎｔｅｒｎａｔｉｏｎａｌ  Ｅｎｅｒｇｙ  Ｃｏｎｓｅｒｖａｔｉｏｎ  Ｃｏｄｅ）や標準、例えばＡＳＨＲＡＥ（Ａｍｅｒｉｃａｎ  Ｓｏｃｉｅｔｙ  ｏｆ  Ｈｅａｔｉｎｇ、Ｒｅｆｒｉｇｅｒａｔｉｎｇ、ａｎｄ  Ａｉｒ−Ｃｏｎｄｉｔｉｏｎｉｎｇ  Ｅｎｇｉｎｅｅｒｓ）ゆえに、多くの場合に、過去典型的に使用されていた１  １／２"よりも厚い厚さで基材に対して設けられた連続的断熱材と一緒にスタッコを使用することについて増大しつつある要望が存在している。事実、４"以上の連続的絶縁体厚さが、現存するか又は予想されるエネルギー基準要求を満足するために必要とされてよい。連続的断熱ボードの厚さが増加するにつれ、スタッコ壁アセンブリーの幾何学、断面、複雑性及び選別（detailing）が特異的に変更することがあり、というのも、前記ボードは、コンディション、例えば火災要求、排水及び最終的な審美的外観を満足させることに関係するからである。連続的断熱材を含まなかったか又は可能な場合により薄い（１  １／２"以下）連続的に断熱されたシステムを収容していたスタッコと一緒の使用が当初予定されていたトリムアクセサリーは、より厚い、連続的に断熱されたシステムを収容することが、しばしばできない。種々の技術的理由や審美的理由から現在市販されているトリムアクセサリーは、より厚い連続的断熱システムを十分に満足しない。結果として、連続的に断熱されたスタッコシステムをより良好に収容する新しいタイプのトリムアクセサリーを開発する必要がある。
【図面の簡単な説明】
【０００６】
【図１】図１は、１つの例示的実施態様のトリムビードの上面斜視図である。
【図２】図２は、図１に示した例示的実施態様のトリムビードの底面斜視図である。
【図３】図３は、１つの例示的実施態様のトリムビードの端面図である。
【図４】図４は、図１−３に示したトリムビードを用いた建築壁の１つの例示的実施態様の端面図である。
【図５】図５は、図４に示した建築壁及びトリムビードの拡大した断片図である。
【０００７】
発明の詳細な説明
種々の厚さの連続的な外部断熱材を組み込むスタッコシステム特有のニーズに対応する、種々の材料から製作されることが可能なトリムビードが提供される。このトリムビードは、連続的断熱材がスタッコで十分にカプセル化されることを可能にし、頂部、土台、また同様に他の類似の状態及び開口部で必要とされるだろう偶発的湿分の排出手段を提供し、スタッコのための機械的定着部、基底部又は隙間ゲージを提供し、かつ、より多くのスタッコ（より少ないトリムビード）を可視化するため審美的に快いものである。必要であれば、建設のタイプ及び要求に応じて、連続的断熱材をスタッコによりカプセル化することで、火炎保護を提供できる。
【０００８】
トリムビードは、外部建築壁において使用される。トリムビードは、空間で隔てられた前方壁及び後方壁と、前記前方壁及び後方壁の間に伸び、かつ、前記前方壁及び後方壁を接続する底部壁と、前記前方壁から実質的に水平方向に伸びるフランジ部を含む。前記トリムアクセサリーのフランジは、前記フランジの厚みを通して連絡する複数の開口部を含む。
【０００９】
トリムビードは、ポリマー材料、金属材料、金属合金材料又は複合材料を含んでよい。
【００１０】
特定の実施態様によれば、底部壁は、水及び他の偶発的湿分を前記壁から外部環境へと排出するための、少なくとも１の滲出穴（weep hole）を含む。後方壁は、トリムビードを建築壁基材へ固定するための機械的固定手段をはめるため、少なくとも部分的に後方壁の厚みを通して連絡する少なくとも１の開口部を含んでよい。トリムビードが、建築構造中の開口部の抱き領域において利用される場合には、排出目的で滲出穴を必要とすることはない。
【００１１】
フランジは、外部仕上げ材料、例えばスタッコを保持すべく、フランジの厚みを通して連絡する複数の開口部を備えている。開口部は、トリムビードのフランジの材料の穿孔、打抜き、又は膨張（expand）によって、金属又は金属合金フランジ中に形成されてよい。代替的な実施態様によれば、トリムビードは、ポリマー材料から作製されてよく、開口部は前記ポリマー材料中に形成されてよい。前記開口部は、外部仕上げ材料、例えばスタッコが、前記フランジの厚みを通して連絡することを可能にする。建設産業では、「定着化（keying）」との用語が、開口部を通して物品中へと連絡する外部仕上げ材料を説明するのに使用される。
【００１２】
特定の実施態様では、フランジは、メッシュ、ダイアモンドメッシュ、又はリブ付き構造を含んでよい。
【００１３】
建築壁のための外部仕上げシステムも提供される。外部仕上げシステムは、任意に耐候性バリアー、トリムビード、絶縁層、外部仕上げ材料のための補強層、及び、前記補強層及び前記トリムビードのフランジに設けた外部仕上げコーティングの少なくとも１の層を含む。トリムビードは、空間で隔てられた前方壁及び後方壁と、前記前方壁及び後方壁を接続する底部壁と、前記前方壁から伸びるフランジ部を含む。
【００１４】
建築壁のためのスタッコシステムも提供される。スタッコ仕上げシステムは、任意に耐候性バリアー、トリムビード、絶縁層、前記絶縁層に取り付けたラス、及び、前記ラス、前記絶縁層に、及び前記トリムビードのフランジに設けたスタッココーティングの少なくとも１の層、を含む。トリムビードは、空間で隔てられた前方壁及び後方壁と、前記前方壁及び後方壁を接続する底部壁と、前記前方壁から伸びるフランジ部を含む。
【００１５】
外部建築壁も提供される。外部建築壁は、外部表面を有するフレームを含む。トリムビードは、前記フレームの外部表面に取り付けられている。耐候性バリアーは、トリムビードの前に、前記フレームの外部表面に、任意に取り付けられている。トリムビードは、空間で隔てられた前方壁及び後方壁と、前記前方壁及び後方壁を接続する底部壁と、前記前方壁から伸びるフランジ部を含む。前記トリムビードのフランジは、前記フランジの厚みを通して連絡する複数の開口部を含む。絶縁層は、トリムビードに隣接し、かつ、フレームに取り付けられ、補強層は絶縁層に取り付けられ、外部仕上げコーティングの少なくとも１の層は、前記絶縁層及び前記トリムビードのフランジに設けられる。
【００１６】
特定の例示的実施態様によれば、外部建築壁は、外部表面を有するフレームを含む。トリムビードは、前記フレームの外部表面に取り付けられている。トリムビードは、空間で隔てられた前方壁及び後方壁と、前記前方壁及び後方壁を接続する底部壁と、前記前方壁から伸びるフランジ部を含む。前記トリムアクセサリーのフランジは、前記フランジの厚みを通して連絡する複数の開口部を含む。絶縁層は、トリムビードに隣接し、かつ、建築壁から取り付けられ、ラスは絶縁層上に取り付けられ、スタッココーティングの少なくとも１の層は、前記絶縁層及び前記トリムビードのフランジに設けられている。
【００１７】
特定の例示的実施態様によれば、外部建築壁は、外部表面を有するフレームを含む。建築壁基材は、前記フレームの外部表面に取り付けられている。トリムビードは、建築壁基材の外部表面に取り付けられている。トリムビードは、空間で隔てられた前方壁及び後方壁と、前記前方壁及び後方壁を接続する底部壁と、前記前方壁から伸びるフランジ部を含む。前記トリムビードのフランジは、前記フランジの厚みを通して連絡する複数の開口部を含む。絶縁層は建築壁基材に取り付けられ、補強層は絶縁体に取り付けられ、外部仕上げコーティングの少なくとも１層は前記補強層、前記絶縁層及び前記トリムビードのフランジに取り付けられている。
【００１８】
特定の例示的実施態様によれば、外部建築壁は、外部表面を有するフレームを含む。建築壁基材は、前記フレームの外部表面に取り付けられている。トリムビードは、建築壁基材の外部表面に取り付けられている。トリムビードは、空間で隔てられた前方壁及び後方壁と、前記前方壁及び後方壁を接続する底部壁と、前記前方壁から伸びるフランジ部を含む。前記トリムビードのフランジは、前記フランジの厚みを通して連絡する複数の開口部を含む。絶縁層は建築壁基材に取り付けられ、ラスは絶縁層に取り付けられ、スタッココーティングの少なくとも１層は前記ラス、前記絶縁層及び前記トリムビードのフランジに取り付けられている。
【００１９】
更なる例示的実施態様によれば、外部建築壁は、外部表面を有するフレームを含む。建築壁基材は、前記フレームの外部表面に取り付けられている。耐候性バリアーは、前記建築壁基材上に取り付けられている。トリムビードは、建築壁基材の外部表面に取り付けられている。耐候性バリアーは、前記建築壁基材の外側に向かう表面に隣接して配置されているトリムビードの垂直後方壁をオーバーレイする。トリムビードは、空間で隔てられた前方壁及び後方壁と、前記前方壁及び後方壁を接続する底部壁と、前記前方壁から伸びるフランジ部を含む。前記トリムビードのフランジは、前記フランジの厚みを通して連絡する複数の開口部を含む。絶縁層は、トリムビードに隣接し、かつ、建築壁基材に取り付ける。補強層は、絶縁層に取り付けられている。外部仕上げコーティングの少なくとも１の層は、補強層又は前記絶縁層及び前記トリムビードのフランジに取り付けられている。
【００２０】
更なる例示的実施態様によれば、外部建築壁は、外部表面を有するフレームを含む。建築壁基材は、前記フレームの外部表面に取り付けられている。耐候性バリアーは、前記建築壁基材上に取り付けられている。トリムビードは、建築壁基材の外部表面に取り付けられている。耐候性バリアーは、前記建築壁基材の外側に向かう表面に隣接して配置されているトリムビードの垂直後方壁をオーバーレイする。トリムビードは、空間で隔てられた前方壁及び後方壁と、前記前方壁及び後方壁を接続する底部壁と、前記前方壁から伸びるフランジ部を含む。前記トリムアクセサリーのフランジは、前記フランジの厚みを通して連絡する複数の開口部を含む。絶縁層は、トリムビードに隣接し、かつ、建築壁基材に取り付けられ、ラスは絶縁層に取り付けられ、スタッココーティングの少なくとも１の層は、前記絶縁層及び前記トリムビードのフランジに設けられている。
【００２１】
外部建築壁の仕上げ方法も提供される。外部建築壁の仕上げ方法は、トリムビードをフレーム付き壁の外部表面へと取り付けることを含む。トリムビードは、空間で隔てられた前方壁及び後方壁と、前記前方壁及び後方壁を接続する底部壁と、前記前方壁から伸びるフランジ部を含む。トリムビードのフランジは、前記フランジの厚みを通して連絡し、建築壁フレームへ絶縁層を取付け、そして、前記絶縁層及び前記トリムビードのフランジの表面へ外部仕上げ材料コーティングの層を設ける、複数の開口部を含む。
【００２２】
特定の例示的実施態様によれば、外部建築壁の仕上げ方法は、トリムビードをフレーム付き壁の外部表面へと取り付けることを含む。トリムビードは、空間で隔てられた前方壁及び後方壁と、前記前方壁及び後方壁を接続する底部壁と、前記前方壁から伸びるフランジ部を含む。トリムビードのフランジは、前記フランジの厚みを通して連絡し、建築壁フレームへ絶縁層を取付け、絶縁体にラスを取付け、そして、前記ラス、又は前記絶縁層及び前記トリムビードのフランジの表面へスタッココーティングの層を設ける、複数の開口部を含む。
【００２３】
更なる例示的実施態様によれば、外部建築壁の仕上げ方法は、建築壁基材をフレーム付き壁の外部表面へと取り付けることを含む。トリムビードは、次に、建築壁基材の外部表面に取り付けられている。トリムビードは、空間で隔てられた前方壁及び後方壁と、前記前方壁及び後方壁を接続する底部壁と、前記前方壁から伸びるフランジ部を含む。トリムビードのフランジは、前記フランジの厚みを通して連絡し、建築壁基材へ絶縁層を取付け、そして、前記絶縁層及び前記トリムビードのフランジの表面へ外部仕上げ材料コーティングの層を設ける、複数の開口部を含む。
【００２４】
更なる例示的実施態様によれば、外部建築壁の仕上げ方法は、建築壁基材をフレーム付き壁の外部表面へと取り付けることを含む。トリムビードは、次に、建築壁基材の外部表面に取り付けられている。トリムビードは、空間で隔てられた前方壁及び後方壁と、前記前方壁及び後方壁を接続する底部壁と、前記前方壁から伸びるフランジ部を含む。トリムビードのフランジは、前記フランジの厚みを通して連絡し、建築壁基材へ絶縁層を取付け、前記絶縁体にラスを取付け、そして、前記絶縁層及び前記トリムビードのフランジ上へ据え付けられているラスへスタッココーティングの層を設ける、複数の開口部を含む。
【００２５】
更なる例示的実施態様によれば、外部建築壁の仕上げ方法は、建築壁基材をフレーム付き壁の外部表面へと取り付けることを含む。耐候性バリアーは、前記建築壁基材上に取り付けられている。トリムビードは、次に、耐候性バリアーでカバーされた建築壁基材に取り付けられている。耐候性バリアーは、前記建築壁基材の外側に向かう表面に隣接して配置されているトリムビードの垂直後方壁の一部の上に設けられる。トリムビードは、空間で隔てられた前方壁及び後方壁と、前記前方壁及び後方壁を接続する底部壁と、前記前方壁から伸びるフランジ部を含む。トリムビードのフランジは、前記フランジの厚みを通して連絡し、建築壁基材へ絶縁層を取付け、そして、前記絶縁層及び前記トリムビードのフランジの表面へ外部仕上げ材料コーティングの層を設ける、複数の開口部を含む。
【００２６】
更なる例示的実施態様によれば、外部建築壁の仕上げ方法は、建築壁基材をフレーム付き壁の外部表面へと取り付けることを含む。耐候性バリアーは、前記建築壁基材上に取り付けられている。耐候性バリアーは、前記建築壁基材の外側に向かう表面に隣接して配置されているトリムビードの垂直後方壁の少なくとも一部の上に設けられる。トリムビードは、次に、耐候性バリアーでカバーされた建築壁基材に取り付けられている。トリムビードは、空間で隔てられた前方壁及び後方壁と、前記前方壁及び後方壁を接続する底部壁と、前記前方壁から伸びるフランジ部を含む。トリムビードのフランジは、前記フランジの厚みを通して連絡し、建築壁基材に絶縁層を取付け、前記絶縁層にラスを取付け、そして、前記絶縁層及び前記トリムビードのフランジ上へ据え付けられているラスへスタッココーティングの層を設ける、複数の開口部を含む。
【００２７】
建築壁基材は、制限なしに、合板外装、ウェファボード、パーティクルボード、配向性ストランドボード、セメントボード、石膏ボード、流し込みコンクリート、コンクリートブロック及びメーソンリーブロックから選択されてよい。一実施態様において、建築壁基材は、合板外装の層である。他の実施態様によれば、建築壁基材は、メーソンリーブロックの層である。
【００２８】
特定の実施態様によれば、耐候性バリアーは、耐水性バリアー及び他の良く知られており、かつ、産業上許容されるシート材料又は工場用材料であって、それらを通じた水の透過に抵抗し、かつ、それらを通じた湿分蒸気及び空気の透過を制御するもの、を含んでよい。制限なしに、好適なシート材料の例は、ＢＡＳＦ  Ｃｏｒｐｏｒａｔｉｏｎ  −  Ｗａｌｌ  Ｓｙｓｔｅｍｓ（Ｊａｃｋｓｏｎｖｉｌｌｅ、ＦＬ、ＵＳＡ）から市販されているＳＥＮＥＲＦＬＡＳＨを含む。
【００２９】
スパンボンドさせた高密度ポリエチレンファイバーの不織シートは、商標Ｔｙｖｅｋ登録商標  ＨｏｍｅＷｒａｐ商標、Ｔｙｖｅｋ登録商標  ＳｔｕｃｃｏＷｒａｐ商標及びＴｙｖｅｋ登録商標  Ｃｏｍｍｅｒｃｉａｌ  Ｗｒａｐ商標でＥ．Ｉ．  ＤｕＰｏｎｔ  ｄｅ  Ｎｅｍｏｕｒｓ  ＆  Ｃｏ．，Ｉｎｃ．（Ｗｉｌｍｉｎｇｔｏｎ、Ｄｅｌａｗａｒｅ）から市販されている。この不織構造は、水及び空気浸透に対して優れた抵抗性を提供する。さらに、不織構造は、優れた強度及び引裂抵抗を有する。
【００３０】
二次的な耐候性バリアーとしての紙又はシート材料の使用に代わって、液体が設けられた耐候性バリアーが使用されてよい。制限なしに、実例を挙げるためだけに、好適なローラー、スプレー又はコテ塗りで設けられた二次的な耐水性バリアーは、商標名ＳＥＮＥＲＳＨＩＥＬＤ−Ｒ、ＦＩＮＥＳＴＯＰ  ＲＡ、ＡＣＲＯＳＴＯＰ  Ｒ、ＳＯＮＯＷＡＬＬ  ＦＴＲ、ＥＮＥＲＳＨＩＥＬＤ  ＨＰ、ＥＮＥＲＳＨＩＥＬＤ  Ｉ、ＳＥＮＥＲＳＨＩＥＬＤ  ＶＢ及びＦＩＮＥＳＴＯＰ  ＶＢ．ＳＥＮＥＲＳＨＩＥＬＤ−Ｒ、ＦＩＮＥＳＴＯＰ  ＲＡ、ＡＣＲＯＳＴＯＰ  Ｒ、ＳＯＮＯＷＡＬＬ  ＦＴＲでＢＡＳＦ  Ｃｏｒｐｏｒａｔｉｏｎ  −  Ｗａｌｌ  Ｓｙｓｔｅｍｓ（Ｊａｃｋｓｏｎｖｉｌｌｅ、フロリダ）から市販される耐水性バリアー材料を含んでよく、そして、ＥＮＥＲＳＨＩＥＬＤ  ＨＰは柔軟なアクリル系液体コーティング材料である。ＳＥＮＥＲＳＨＩＥＬＤ−Ｒ、ＦＩＮＥＳＴＯＰ  ＲＡ、ＡＣＲＯＳＴＯＰ  Ｒ、ＳＯＮＯＷＡＬＬ  ＦＴＲ及びＥＮＥＲＳＨＩＥＬＤ  ＨＰは、ブラシ塗り、ローラー塗り又はスプレー塗りされた連続膜を提供し、前記膜は、広範な種類の認可された建築壁基材、例えば合板外装、セメントボード、石膏外装、配向性ストランドボード、流し込みコンクリート基材、メーソンリーユニット等への直接的な塗布に適している。
【００３１】
ラスを、連続的断熱層又はその下にある建築壁基材の上のスタッココーティングのためのプラスターベースとして使用する。ラスは、金属（例えばワイヤラス、溶接ワイヤラス及びエキスパンドメタルラス）、金属合金、ポリマー状材料、無機ファイバー材料（例えばグラスファイバー）、複合材料等から製造されてよい。特定の例示的実施態様によれば、スタッコシステムにおいて使用されるラス及びスタッコシステムを組み込む建築壁は、商標名ＰＥＲＭＡＬＡＴＨ及びＰＥＲＭＡＬＡＴＨ  １０００でＢＡＳＦ  Ｃｏｒｐｏｒａｔｉｏｎ  −  Ｗａｌｌ  Ｓｙｓｔｅｍｓ（Ｊａｃｋｓｏｎｖｉｌｌｅ、フロリダ、米国）から市販されている、増加した厚さの無機ファイバー織布を含む。
【００３２】
スタッコとの用語は、建築壁のための壁被覆材料として一般に使用される、バインダー材料、骨材及び水のブレンドを含む任意の下塗り材料を指すものと意図される。制限なしに、スタッコは、石灰、砂骨材及び水のブレンド、又はポルトランドセメント、砂骨材及び水のブレンド、又はポルトランドセメント、石灰、砂骨材及び水のブレンド、を含んでよい。スタッコ材料は、硬化したスタッコの特性を改善するために、補強ファイバーを含んでもよい。スタッコ材料はしばしば、建築及び建設産業においてポルトランドセメントベースのプラスター、と称される。スタッココーティングは、ＡＳＴＭ  Ｃ９２６（２００６）、タイトル「Ｓｔａｎｄａｒｄ  Ｓｐｅｃｉｆｉｃａｔｉｏｎ  ｆｏｒ  Ａｐｐｌｉｃａｔｉｏｎ  ｏｆ  Ｐｏｒｔｌａｎｄ  Ｃｅｍｅｎｔ−Ｂａｓｅｄ  Ｐｌａｓｔｅｒ」にしたがって、絶縁層又は建築壁基材に設けられてよい。ＡＳＴＭ  Ｃ９２６は、外部及び内部建築壁のための完全厚ポルトランドセメントベースのプラスター材料の適用のための要件を説明する。広範な種類のスタッコベースコート及び仕上げコートは、ＢＡＳＦ  Ｃｏｒｐｏｒａｔｉｏｎ  −  Ｗａｌｌ  Ｓｙｓｔｅｍｓ（Ｊａｃｋｓｏｎｖｉｌｌｅ、ＦＬ、米国）から市販されている。
【００３３】
スタッコシステムの例示的実施態様を、ここでは、図面を参照してより詳細に説明する。スタッコシステムは、図面に示した例示的実施態様に限定されることは意図されないことに留意されたい。
【００３４】
図１−３は、トリムビード１０の例示的実施態様を示す。トリムビードは、逆方向に向いた表面１４、１６を有する前方壁１２を含む。トリムビード１０の底部壁１８は、前方壁１２の下部の表面１４を外側に伸ばす。底部壁１８とフランジ２６の間の垂直方向高さは、建設産業において基底部と一般に称される。後方壁２０は、トリムビード１０の底部壁１８から上方に伸びる。後方壁２０は、底部壁１８から上方に、トリムビード１０の前方壁１２の高さよりも高く伸びる。いかなる特定の幾何学又は形状に捕らわれる意図なく、前方壁、底部壁及び後方壁の例示的実施態様は、実質的にＪ形状のトリムビード１０を作成する。
【００３５】
なお図１−３を参照して、トリムビード１０の底部壁１８は、底部壁１８の全厚を通して連絡する１又は複数の開口部２２を含む。これら開口部２２は、建設産業において滲出穴と一般に称され、かつ、壁から外部環境へと偶発的水を排出するのに使用される。後方壁２０は、フレーム付き壁の外部表面又は建築壁基材層の外部表面（建築壁フレームに取り付けられている）にトリムビードを留めるために、機械的固定手段を収容するための後方壁２０の全厚を通して連絡する１又は複数の開口部２４を含んでよい。後方壁２０は、建設産業においてマウンティング（mounting）又はバックフランジと一般に称される。
【００３６】
図４及び５を見ると、建築壁３０は、フレーム要素３４、３６を含む。フレーム要素３６には、建築壁外装３８の層が取り付けられている。トリムビード１０は、機械的固定手段４０で建築壁外装３８の外部表面に取り付けられている。耐候性バリアー４２は、前記建築壁外装３８の、外側に向かう表面上に設けられている。耐候性バリアー４２は、トリムビード１０の後方壁２０の少なくとも一部を覆う。連続的断熱ボード５０の層は、トリムビード１０とかみ合っている。断熱ボードの後方表面５２は、耐候性バリアー４２と実質的に隣接して配置されている。絶縁層の下側表面５４は、フランジ２６によって支持されている。
【００３７】
図５を参照すると、コーナービード６０がしばしば使用され、かつ、トリムビード１０のフランジ２６とかみ合わされる。少なくとも１の層のスタッコ６２を、ラス６４及び連続断熱層５０の上に設ける。フランジ２４及びコーナービード６０はスタッコ層６２のための機械的定着部を提供するので、スタッコ層は、断熱層５０の暴露された下側縁５４を含めて断熱層５０を囲むことができる。火炎が建築物の窓から出て、建築壁３０の外部表面に沿って上方へと向かう、工業的標準燃焼試験（Ｎａｔｉｏｎａｌ  Ｆｉｒｅ  Ｐｒｏｔｅｃｔｉｏｎ  Ａｓｓｏｃｉａｔｉｏｎ又はＮＦＰＡ  ２８５）の場合に、フランジ２６及びコーナービード６０の使用は、スタッコ層６２が、典型的には硬質膨張ポリスチレン断熱ボードである、断熱層５０を保護することを可能にする。
【００３８】
外部仕上げシステムの例示的実施態様を、ＮＦＰＡ  ２８５（Ｎａｔｉｏｎａｌ  Ｆｉｒｅ  Ｐｒｏｔｅｃｔｉｏｎ  Ａｓｓｏｃｉａｔｉｏｎ）に示したガイドラインにしたがって試験した。ＮＦＰＡ  ２８５は、燃焼性成分を含む外部非耐力壁アセンブリーの火炎伝播特性の評価のための標準的試験方法を開示する。例示的実施態様は、トリムビード、外部表面を有するフレームからなる外部建築壁、前記壁に取り付けた耐候性バリアー、前記壁に取り付けた絶縁層、前記絶縁層に取り付けたラス、及び、スタッココーティングから成り立っている。
【００３９】
タイプＫ、ガラス繊維ジャケット付き熱電対（５４）を、ＮＦＰＡ  ２８５にしたがって壁システム内に据え付けた。熱電対データを、１００チャンネルＹｏｋｏｇａｗａ，Ｉｎｃ．，Ｄａｒｗｉｎデータ獲得ユニットによって１５秒毎にモニターした。市販グレードのプロパンガスバーナーアセンブリーを、垂直方向センターライン上、ウィンドウ開口部頂部の９インチ下、そして、水平方向センターライン上、外部壁の平面から３インチ離れて、配置した。
【００４０】
２４個の熱電対からの温度データを、ＮＦＰＡ  ２８５標準を用いてコンプライアンスを決定するために使用した。熱電対１１及び１４−１７を、外部壁表面に配置した。熱電対１８、１９、２８及び３１−４０を、外部仕上げシステムコア内に配置した。熱電対４９−５４を、第２のフロアー屋内壁表面に配置した。ＮＦＰＡ標準を用いたコンプライアンスは、熱電対１１及び１４−１７が１０００°Ｆを超えず、熱電対１８、１９、２８及び３１−４０が７５０°Ｆ超の温度増加を測定せず、そして熱電対４９−５４が５００°Ｆの増加を測定しないことを要求した。試験の結果は、以下表１−３に示してある。
【００４１】
表１
【表１】
2013545910.tif 000003
【表２】
2013545910.tif 000004
【表３】
2013545910.tif 000005
【表４】
2013545910.tif 000006
【００４２】
表２
【表５】
2013545910.tif 000007
【表６】
2013545910.tif 000008
【表７】
2013545910.tif 000009
【表８】
2013545910.tif 000010
【表９】
2013545910.tif 000011
【表１０】
2013545910.tif 000012
【００４３】
表３
【表１１】
2013545910.tif 000013
【表１２】
2013545910.tif 000014
【表１３】
2013545910.tif 000015
【表１４】
2013545910.tif 000016
【００４４】
表１−３中の熱電対データに基づくと、上述の例示的実施態様はＮＦＰＡ  ２８５標準を達成した。
【００４５】
様々な図面に示されているように、トリムビード、外部仕上げシステム、スタッコシステム、建築壁及び関連する方法は様々な実施態様と関連して説明されている一方で、他の類似の実施態様が使用されてよいか又は改変及び付加が同じ機能を実施するための説明された実施態様になされてよいことが理解されるべきである。さらに、様々な例示的実施態様は、所望の結果を生み出すべく組み合わされてよい。したがって、トリムビード、外部仕上げシステム、スタッコシステム、建築壁及び関連するプロセスは、いかなる単一の実施態様にも限定されず、むしろ添付した特許請求の範囲の詳説と一致した幅及び範囲にあると解釈される。
【図１】
2013545910.tif 000017
【図２】
2013545910.tif 000018
【図３】
2013545910.tif 000019
【図４−５】
2013545910.tif 000020
【国際調査報告】
2013545910.tif 000021
2013545910.tif 000022